(57)【要約】【課題】ユーザの意図を反映し、より簡単迅速に自動合焦、自動台形補正を実行し、画像を正確に投影表示する。【解決手段】入力される画像信号に応じた画像を投影する空間的光変調素子(ＳＯＭ)27及び投影レンズ12を含んだ投影系と、画像投影面中の複数位置に対する各距離を測定する位相差センサ131，132及び測距処理部34と、台形補正及び合焦の１回のみの実行を指示する「ワンショットＡＦＫ」キー18ｄ及び連続した実行を指示する「コンティニアスＡＦＫ」キー18ｅを設けたキー／インジケータ部18と、得た各距離に基づいて投影画像が適正なアスペクト比の矩形となるようＳＯＭ27で形成する光像の台形補正を行ない、台形補正した画像中の任意位置で投影レンズ12を合焦させ、上記キー18ｄ，18ｅでの指示に対応して台形補正及び合焦の実行回数を制御する制御部30とを備える。【選択図】      図３
2005196042.tif 000002
【特許請求の範囲】
【請求項１】
入力される画像信号に応じた画像を投影する投影手段と、
上記投影手段による画像投影面中の複数位置に対する各距離を測定する測距手段と、
この測距手段で得た各距離に基づいて投影画像が適正なアスペクト比の矩形となるよう上記投影手段が投影する画像の台形補正を行なう台形補正手段と、
この台形補正手段で台形補正した画像中の任意位置で上記投影手段が投影する画像を合焦させる合焦制御手段と、
台形補正及び合焦の１回のみの実行を指示する第１の指示手段と、
台形補正及び合焦の連続した実行を指示する第２の指示手段と、
上記第１または第２の指示手段での指示に対応して上記測距手段、台形補正手段及び合焦制御手段による台形補正及び合焦の実行回数を制御する制御手段と
を具備したことを特徴とする投影装置。
【請求項２】
上記第２の指示手段は、台形補正及び合焦の連続した実行の開始と終了とを指示することを特徴とする請求項１記載の投影装置。
【請求項３】
上記制御手段は、上記第１及び第２の指示手段の一方の指示に対応して台形補正及び合焦を実行させている途中で、他方の指示がなされた際には即時該他方の指示手段での指示に対応した回数に基づいて台形補正及び合焦の実行を開始させることを特徴とする請求項１記載の投影装置。
【請求項４】
上記第２の指示手段での指示に対応して上記測距手段、台形補正手段及び合焦制御手段による台形補正及び合焦が実行される毎にその実行結果に基づいて上記投影手段により所定の画像を一定時間ずつ投影する試験投影手段をさらに具備したことを特徴とする請求項１記載の投影装置。
【請求項５】
入力される画像信号に応じた画像を投影する投影工程と、
上記投影工程での画像投影面中の複数位置に対する各距離を測定する測距工程と、
この測距工程で得た各距離に基づいて投影画像が適正なアスペクト比の矩形となるよう上記投影工程で投影する画像の台形補正を行なう台形補正工程と、
この台形補正工程で台形補正した画像中の任意位置で上記投影工程で投影する画像を合焦させる合焦制御工程と、
台形補正及び合焦の１回のみの実行を指示する第１の指示工程と、
台形補正及び合焦の連続した実行を指示する第２の指示工程と、
上記第１または第２の指示工程での指示に対応して上記測距工程、台形補正工程及び合焦制御工程による台形補正及び合焦の実行回数を制御する制御工程と
を有したことを特徴とする投影方法。
【請求項６】
入力される画像信号に応じた画像を投影する投影ステップと、
上記投影ステップでの画像投影面中の複数位置に対する各距離を測定する測距ステップと、
この測距ステップで得た各距離に基づいて投影画像が適正なアスペクト比の矩形となるよう上記投影ステップで投影する画像の台形補正を行なう台形補正ステップと、
この台形補正ステップで台形補正した画像中の任意位置で上記投影ステップで投影する画像を合焦させる合焦制御ステップと、
台形補正及び合焦の１回のみの実行を指示する第１の指示ステップと、
台形補正及び合焦の連続した実行を指示する第２の指示ステップと、
上記第１または第２の指示ステップでの指示に対応して上記測距ステップ、台形補正ステップ及び合焦制御ステップによる台形補正及び合焦の実行回数を制御する制御ステップと
をコンピュータに実行させることを特徴とするプログラム。
【発明の詳細な説明】
【技術分野】
【０００１】
本発明は、投影画像の自動合焦機能を有する投影装置、投影方法及びプログラムに関する。
【背景技術】
【０００２】
従来、可搬型プロジェクタにおいて、装置内にモニタカメラを設け、投射画面をモニタすることにより表示に必要な各種調整を自動的に実施しようとするものが考えられている。（例えば特許文献１）
【特許文献１】特開２０００−２４１８７４号公報
【発明の開示】
【発明が解決しようとする課題】
【０００３】
しかしながら、上記特許文献１に記載されている可搬型プロジェクタは、モニタカメラでの撮影により得た画像データに対する処理を行なうことで合焦動作及び台形歪の調整動作をそれぞれ個別に実行するものとしており、調整全体に要する時間が長くなってしまう。
【０００４】
加えて、具体的な調整動作は投射レンズ光学系の向きや仰俯角を可変するものとしており、光学的な「あおり」機構を有するレンズ系の構造が必要となるなど、装置が大型で複雑になってしまうという不具合がある。
【０００５】
ところで近時には、ＰＳＤ（Ｐｏｓｉｔｉｏｎ  Ｓｅｎｓｉｔｉｖｅ  Ｄｅｔｅｃｔｏｒ）センサを用いた測距手段で投影面の距離と投光軸に対する傾きを検出し、それらの検出結果に応じて合焦位置を得ると共に、検出した傾きに対応して予め逆方向に歪みを生じた光像を形成して投影することにより、実際に投影される画像が正規のアスペクト比の矩形となるように補償する電子的な調整機能を備えた可搬型プロジェクタも考えられている。
【０００６】
しかしながらこのような可搬型プロジェクタにあっても、より簡単且つ迅速に各種調整を実行させることができる反面、少々精度は悪くても各種調整を即時終了して実際の投影動作に移行したい場合と、じっくり各種調整を実行して正確な合焦及び台形補正の状態を得てから実際の投影動作に移行したい場合とで、詳細な動作メニュー項目の選択設定等、必要な指示形態が異なるため、ユーザの意図通り動作させるためには複雑な指示操作を行なわなくてはならず、ユーザの意図を反映させ難いものとなっていた。
【０００７】
本発明は上記のような実情に鑑みてなされたもので、その目的とするところは、その時点でユーザが必要としている意図を反映し、より簡単且つ迅速に投影画像の自動合焦及び自動台形補正を実行して、投影環境に左右されず画像を正確に投影表示することが可能な投影装置、投影方法及びプログラムを提供することにある。
【課題を解決するための手段】
【０００８】
請求項１記載の発明は、入力される画像信号に応じた画像を投影する投影手段と、上記投影手段による画像投影面中の複数位置に対する各距離を測定する測距手段と、この測距手段で得た各距離に基づいて投影画像が適正なアスペクト比の矩形となるよう上記投影手段が投影する画像の台形補正を行なう台形補正手段と、この台形補正手段で台形補正した画像中の任意位置で上記投影手段が投影する画像を合焦させる合焦制御手段と、台形補正及び合焦の１回のみの実行を指示する第１の指示手段と、台形補正及び合焦の連続した実行を指示する第２の指示手段と、上記第１または第２の指示手段での指示に対応して上記測距手段、台形補正手段及び合焦制御手段による台形補正及び合焦の実行回数を制御する制御手段とを具備したことを特徴とする。
【０００９】
請求項２記載の発明は、上記請求項１記載の発明において、上記第２の指示手段は、台形補正及び合焦の連続した実行の開始と終了とを指示することを特徴とする。
【００１０】
請求項３記載の発明は、上記請求項１記載の発明において、上記制御手段は、上記第１及び第２の指示手段の一方の指示に対応して台形補正及び合焦を実行させている途中で、他方の指示がなされた際には即時該他方の指示手段での指示に対応した回数に基づいて台形補正及び合焦の実行を開始させることを特徴とする。
【００１１】
請求項４記載の発明は、上記請求項１記載の発明において、上記第２の指示手段での指示に対応して上記測距手段、台形補正手段及び合焦制御手段による台形補正及び合焦が実行される毎にその実行結果に基づいて上記投影手段により所定の画像を一定時間ずつ投影する試験投影手段をさらに具備したことを特徴とする。
【００１２】
請求項５記載の発明は、入力される画像信号に応じた画像を投影する投影工程と、上記投影工程での画像投影面中の複数位置に対する各距離を測定する測距工程と、この測距工程で得た各距離に基づいて投影画像が適正なアスペクト比の矩形となるよう上記投影工程で投影する画像の台形補正を行なう台形補正工程と、この台形補正工程で台形補正した画像中の任意位置で上記投影工程で投影する画像を合焦させる合焦制御工程と、台形補正及び合焦の１回のみの実行を指示する第１の指示工程と、台形補正及び合焦の連続した実行を指示する第２の指示工程と、上記第１または第２の指示工程での指示に対応して上記測距工程、台形補正工程及び合焦制御工程による台形補正及び合焦の実行回数を制御する制御工程とを有したことを特徴とする。
【００１３】
請求項６記載の発明は、入力される画像信号に応じた画像を投影する投影ステップと、上記投影ステップでの画像投影面中の複数位置に対する各距離を測定する測距ステップと、この測距ステップで得た各距離に基づいて投影画像が適正なアスペクト比の矩形となるよう上記投影ステップで投影する画像の台形補正を行なう台形補正ステップと、この台形補正ステップで台形補正した画像中の任意位置で上記投影ステップで投影する画像を合焦させる合焦制御ステップと、台形補正及び合焦の１回のみの実行を指示する第１の指示ステップと、台形補正及び合焦の連続した実行を指示する第２の指示ステップと、上記第１または第２の指示ステップでの指示に対応して上記測距ステップ、台形補正ステップ及び合焦制御ステップによる台形補正及び合焦の実行回数を制御する制御ステップとをコンピュータに実行させることを特徴とする。
【発明の効果】
【００１４】
請求項１記載の発明によれば、その時点でユーザが必要としている意図を反映し、より簡単且つ迅速に投影画像の自動合焦及び自動台形補正を実行して、投影環境に左右されず画像を正確に投影表示することができる。
【００１５】
請求項２記載の発明によれば、上記請求項１記載の発明の効果に加えて、特に第２の指示手段による１回目の指示操作により台形補正と合焦の実行を開始してから、２回目に第２の指示手段による指示操作がなされるまでの間、台形補正と合焦を連続して実行するようになるため、ユーザが台形補正と合焦の状態を視認して納得した時点で上記２回目の指示操作を行なうことにより、確実に所望する台形補正と合焦の状態を得ることができる。
【００１６】
請求項３記載の発明によれば、上記請求項１記載の発明の効果に加えて、第１及び第２の指示手段の一方の指示操作により台形補正と合焦の動作を受信している途中であっても、その他方の指示操作がなされた時点でそれまでの動作を即時中断し、新たに指示操作された内容に対応した回数で台形補正及び合焦の実行を開始させることができる。
【００１７】
請求項４記載の発明によれば、上記請求項１記載の発明の効果に加えて、連続した台形補正及び合焦を実行している途中でその状態をユーザが視認できるため、ユーザが適正と判断した時点で台形補正と合焦を終了させることができ、無駄に台形補正と合焦の動作を続行することなく、続く投影動作に移行できる。
【００１８】
請求項５記載の発明によれば、その時点でユーザが必要としている意図を反映し、より簡単且つ迅速に投影画像の自動合焦及び自動台形補正を実行して、投影環境に左右されず画像を正確に投影表示することができる。
【００１９】
請求項６記載の発明によれば、その時点でユーザが必要としている意図を反映し、より簡単且つ迅速に投影画像の自動合焦及び自動台形補正を実行して、投影環境に左右されず画像を正確に投影表示することができる。
【発明を実施するための最良の形態】
【００２０】
以下本発明をプロジェクタ装置に適用した場合の実施の一形態について図面を参照して説明する。
【００２１】
図１は、同実施の形態に係るプロジェクタ装置１０の外観構成を示すものである。同図に示すように、直方体状の本体ケーシング１１の前面に、投影レンズ１２、二対の位相差センサ１３１，１３２、前面カバー１４が配設される。
【００２２】
投影レンズ１２は、後述するマイクロミラー素子等の空間的光変調素子で形成された光像を投影するためのものであり、ここでは合焦位置及びズーム位置（投影画角）を任意に可変できるものとする。
【００２３】
位相差センサ１３１，１３２は、それぞれ被写体像に対する視差から三角測距の原理に基づいて被写体までの距離、具体的には投影画像面までの距離を測定する。
【００２４】
具体的には、縦に配置された一対の位相差センサ１３１で縦方向の被写体までの距離を測定し、横に配置されたもう一対の位相差センサ１３２で横方向の被写体までの距離を測定する。
【００２５】
前面カバー１４は、このプロジェクタ装置１０の投影動作時以外、特に携帯時に上記投影レンズ１２と位相差センサ１３１，１３２とを保護するべく、図中に矢印Ａ，Ｂで示すようにスライドさせるもので、その表面側には蓄光リング１５、Ｉｒ受信部１６、及びスライドバー１７が配設される。
【００２６】
蓄光リング１５は、半透明状の蓄光素材を含んだ樹脂製リングが前面カバー１４に埋設して形成されるもので、前面カバー１４を閉じて上記投影レンズ１２等が外部から見えない状態で、プロジェクタ装置１０の光源のランプがオンされて投影レンズ１２から光が放射されているか否かを判断することができる一方で、上述した蓄光素材により光源のランプがオフされた後も微光を発し、薄暗い環境下でもその位置がわかるようになっており、平坦な前面カバー１４のデザイン上のアクセントともなるものである。
【００２７】
Ｉｒ受信部１６は、図示しないこのプロジェクタ装置１０のリモートコントローラからのキー操作信号が重畳された赤外光を受信する。
【００２８】
スライドバー１７は、前面カバー１４に埋設された、例えばメッキ処理したステンレス鋼でなる帯状突起であり、前面カバー１４を上記矢印Ａ，Ｂ方向にスライド操作する場合の手がかりとする一方で、上記蓄光リング１５と同様に、平坦な前面カバー１４のデザイン上のアクセントともなるものである。  
また、本体ケーシング１１の上面には、キー／インジケータ部１８及びスピーカ１９が配設される。  
キー／インジケータ部１８の詳細については後述する。  
スピーカ１９は、動画の再生時等の音声を拡声出力する。
【００２９】
さらに、ここでは図示しないが、本体ケーシング１１の背面には、入出力コネクタ部２１や上記Ｉｒ受信部１６と同様のＩｒ受信部３５、及びＡＣアダプタ接続部等が配設され、さらに本体ケーシング１１の下面にはその背面側に一対の固定脚部が取り付けられると共に、前面側に高さ調節が可能な１本の調整脚部が取り付けられる。
【００３０】
次に図２により上記キー／インジケータ部１８の詳細な配置構成を例示する。すなわちキー／インジケータ部１８には、電源（ｐｏｗｅｒ）キー１８ａ、ズーム（Ｚｏｏｍ）キー１８ｂ、フォーカス（Ｆｏｃｕｓ）キー１８ｃ、「ワンショットＡＦＫ」キー１８ｄ、「コンティニアスＡＦＫ」キー１８ｅ、「Ｉｎｐｕｔ」キー１８ｆ、「Ａｕｔｏ」キー１８ｇ、「ｍｅｎｕ」キー１８ｈ、「ＨＥＬＰ」キー１８ｉ、「Ｅｓｃ」キー１８ｊ、「アップ（↑）」キー１８ｋ、「ダウン（↓）」キー１８ｌ、「レフト（←）」キー１８ｍ、「ライト（→）」キー１８ｎ、及び「Ｅｎｔｅｒ」キー１８ｏと、電源／待機（ｐｏｗｅｒ／ｓｔａｎｄｂｙ）インジケータ１８ｐ、及び温度（ＴＥＭＰ）インジケータ１８ｑを備える。
【００３１】
電源キー１８ａは、電源のオン／オフを指示する。  
ズームキー１８ｂは、「△」「▽」の操作によりズームアップ（ｔｅｌｅ）及びズームダウン（ｗｉｄｅ）を指示する。
【００３２】
フォーカスキー１８ｃは、「△」「▽」の操作により合焦位置の前方向及び後方向への移動を指示する。  
「ワンショットＡＦＫ」キー１８ｄは、自動合焦（Ａｕｔｏｍａｔｉｃ  Ｆｏｃｕｓ）と自動台形補正（Ａｕｔｏｍａｔｉｃ  Ｋｅｙｓｔｏｎｅ  ｃｏｒｒｅｃｔｉｏｎ）の１回のみの即時実行を指示する。
【００３３】
「コンティニアスＡＦＫ」キー１８ｅは、自動合焦と自動台形補正の連続した実行の開始と終了とを指示する。
【００３４】
「Ｉｎｐｕｔ」キー１８ｆは、上記入出力コネクタ部のいずれかに入力される画像信号の手動切換えを指示し、「Ａｕｔｏ」キー１８ｇは、同入出力コネクタ部のいずれかに入力される画像信号の自動切換えを指示する。
【００３５】
「ｍｅｎｕ」キー１８ｈは、投影動作に関する各種メニュー項目の表示を指示する。  
「ＨＥＬＰ」キー１８ｉは、指示操作が不明な場合の各種ヘルプ情報の表示を指示し、「Ｅｓｃ」キー１８ｊはその時点での操作の解除を指示する。
【００３６】
「アップ」キー１８ｋ、「ダウン」キー１８ｌ、「レフト」キー１８ｍ、及び「ライト」キー１８ｎは、メニュー項目や手動台形補正方向、ポインタやカーソル等その時点で選択または移動方向を指示する場合に応じて操作する。
【００３７】
電源／待機インジケータ１８ｐは、電源のオン／オフ状態と画像信号の入力がない状態を例えば緑色と赤色のＬＥＤの点灯／消灯あるいは点滅により表示する。  
温度インジケータ１８ｑは、画像投影の光源となるランプの温度が投影に適した状態となっているか否かを例えば緑色と赤色のＬＥＤの点灯／消灯あるいは点滅により表示する。
【００３８】
続いて図３を用いて上記プロジェクタ装置１０の電子回路の機能構成について説明する。図中、入出力コネクタ部２１より入力された各種規格の画像信号が、入出力インタフェース（Ｉ／Ｆ）２２、システムバスＳＢを介して画像変換部２３で所定のフォーマットの画像信号に統一された後に、表示エンコーダ２４へ送られる。
【００３９】
表示エンコーダ２４は、送られてきた画像信号をビデオＲＡＭ２５に展開記憶させた上でこのビデオＲＡＭ２５の記憶内容からビデオ信号を生成して表示駆動部２６に出力する。
【００４０】
この表示駆動部２６は、送られてきた画像信号に対応して適宜フレームレート、例えば３０［フレーム／秒］で空間的光変調素子（ＳＯＭ）２７を表示駆動するもので、この空間的光変調素子２７に対して、例えば超高圧水銀灯等の光源ランプ２８が出射する高輝度の白色光を照射することで、その反射光で光像が形成され、上記投影レンズ１２を介して図示しないスクリーンに投影表示される。
【００４１】
しかるに、上記投影レンズ１２はレンズモータ（Ｍ）２９に駆動されることでズーム位置及びフォーカス位置を適宜移動する。  
上記各回路のすべての動作制御を司るのが制御部３０である。この制御部３０は、ＣＰＵと、後述する自動合焦及び自動台形補正の処理を含む該ＣＰＵで実行される動作プログラムを固定的に記憶したＲＯＭ、及びワークメモリとして使用されるＲＡＭ等により構成される。
【００４２】
この制御部３０にはまた、システムバスＳＢを介して画像記憶部３１、音声処理部３２、加速度センサ３３、及び測距処理部３４が接続される。  
画像記憶部３１は、例えばフラッシュメモリ等でなり、チャート画像（横チャート画像及び縦チャート画像）等の画像データを記憶するもので、制御部３０に指示された画像データを適宜読出して上記表示エンコーダ２４へ送出し、それらの画像を投影レンズ１２により投影表示させる。
【００４３】
音声処理部３２は、ＰＣＭ音源等の音源回路を備え、投影表示動作時に与えられる音声データをアナログ化し、上記スピーカ１９を駆動して拡声放音させる。  
加速度センサ３３は、このプロジェクタ装置１０が設置されている状態から移動された場合にその振動を検知して検知信号を制御部３０へ出力する。
【００４４】
測距処理部３４は、上記位相差センサ１３１，１３２をそれぞれ駆動して、投影表示されたチャート画像中の任意のポイント位置までの距離を測定する。
【００４５】
なお、上記キー／インジケータ部１８におけるキー操作信号は直接制御部３０に入力され、また制御部３０は上記キー／インジケータ部１８の電源／待機インジケータ１８ｐ及び温度インジケータ１８ｑを直接点灯／点滅駆動する一方で、上記前面カバー１４に設けられたＩｒ受信部１６及び本体ケーシング１１の背面側に設けられるＩｒ受信部３５での赤外光受信信号も直接制御部３０に入力される。
【００４６】
次に上記実施の形態の動作について説明する。  
図４は、電源がオンされている状態で、キー／インジケータ部１８の「ワンショットＡＦＫ」キー１８ｄの操作により強制的に実行される割込み処理としての、自動合焦及び自動台形補正の処理内容を示すもので、その制御は制御部３０が内部のＲＯＭに記憶されている動作プログラムに基づいて実行する。
【００４７】
その処理当初には、すでに「ワンショットＡＦＫ」キー１８ｄが操作されて１回のみの自動合焦及び自動台形補正の処理の実行中であるか否かを示すワンショットフラグがオンであるか否かを判断する（ステップＡ０１）。
【００４８】
ここで該ワンショットフラグがオフであると判断すると、続いて「コンティニアスＡＦＫ」キー１８ｅが操作されて連続した自動合焦及び自動台形補正の処理の実行中であるか否かを示すコンティニアスフラグがオンであるか否かを判断する（ステップＡ０２）。
【００４９】
ここでコンティニアスフラグがオンであると判断した場合にのみ、そのコンティニアスフラグをオフに設定し直してその前で操作された「コンティニアスＡＦＫ」キー１８ｅの操作を無効とする（ステップＡ０３）。
【００５０】
その後、あらためてワンショットフラグをオンに設定した上で（ステップＡ０４）、画像記憶部３１からチャート画像の画像データを読出して投影表示させ、その表示されたチャート画像に対応して上記位相差センサ１３１，１３２でチャート画像を構成する複数のポイント位置を測距させる（ステップＡ０５）。
【００５１】
次いで、これら測距データに基づいて基準となるポイント位置までの距離と投影面の傾きとを算出し、その算出結果に基づいて自動合焦処理及び自動台形補正処理（図では纏めて「ＡＦＫ処理」と称する）を実行する（ステップＡ０６）。
【００５２】
こうして１回だけの自動合焦処理及び自動台形補正処理を実行した時点で、上記「ワンショットＡＦＫ」キー１８ｄの操作に対応した処理を中断し（ステップＡ０７）、併せて上記ワンショットフラグをオフに設定し（ステップＡ０８）、以上でこの図４の「ワンショットＡＦＫ」キー１８ｄ操作に対応した処理を終了し、通常の投影動作に復帰する。
【００５３】
また、上記ステップＡ０１で既にワンショットフラグがオンに設定されていると判断した場合には、その直前に既に「ワンショットＡＦＫ」キー１８ｄが指示操作され、１回のみの自動合焦処理及び自動台形補正処理を実行中であり、その実行中の動作を解除するべく再度「ワンショットＡＦＫ」キー１８ｄが指示操作されたものとして、直ちに上記ステップＡ０７に進んで「ワンショットＡＦＫ」キー１８ｄの操作に対応した処理を中断する。
【００５４】
このように、少々精度は悪くても各種調整を即時終了して実際の投影動作に移行したい場合などには、「ワンショットＡＦＫ」キー１８ｄを操作することで１回のみの自動合焦処理と自動台形補正処理とを実行して調整を行なった後、通常の投影動作に移行できる。
【００５５】
次に図５により、電源がオンされている状態で、キー／インジケータ部１８の「コンティニアスＡＦＫ」キー１８ｅが操作された場合に強制的に実行される割込み処理としての、自動合焦及び自動台形補正の一連の処理内容を説明する。この図５の処理の制御も制御部３０が内部のＲＯＭに記憶されている動作プログラムに基づいて実行する。
【００５６】
その処理当初には、すでに「ワンショットＡＦＫ」キー１８ｄが操作されて１回のみの自動合焦及び自動台形補正の処理の実行中であるか否かを示すワンショットフラグがオンであるか否かを判断する（ステップＢ０１）。
【００５７】
ここで該ワンショットフラグがオンであると判断した場合にのみ、そのワンショットフラグをオフに設定し直してその前で操作された「ワンショットＡＦＫ」キー１８ｄの操作を無効とし、実行中である１回のみの自動合焦及び自動台形補正の処理を中断させる（ステップＢ０２）。
【００５８】
その後、あらためてコンティニアスフラグをオンに設定した上で（ステップＢ０３）、画像記憶部３１からチャート画像の画像データを読出して投影表示させ、その表示されたチャート画像に対応して上記位相差センサ１３１，１３２でチャート画像を構成する複数のポイント位置を測距させる（ステップＢ０４）。
【００５９】
次いで、これら測距データに基づいて基準となるポイント位置までの距離と投影面の傾きとを算出し、その算出結果に基づいて自動合焦処理及び自動台形補正処理（図では纏めて「ＡＦＫ処理」と称する）を実行する（ステップＢ０５）。
【００６０】
こうして自動合焦処理及び自動台形補正処理を実行した後、得られた結果に基づいて画像記憶部３１から上記測距で使用したものとは別の所定のチャート画像の画像データを読出し、プレビュー画像として一定時間投影表示させる（ステップＢ０６）。
【００６１】
ここで画像記憶部３１から読出すチャート画像の画像データは、ユーザが合焦状態及び台形補正状態をより視認し易いものとして予め用意しておくもので、その投影時間は、例えば上記ステップＢ０４，Ｂ０５の自動合焦及び自動台形補正に要する時間が例えば０．５［秒］程度であるとすれば、それよりもやや長めの１．０〜２．０［秒］程度とする。
【００６２】
こうしてユーザに合焦状態及び台形補正状態をチャート画像の投影により提示した状態で、再度の「コンティニアスＡＦＫ」キー１８ｅの操作があるか否かを判断し（ステップＢ０７）、「コンティニアスＡＦＫ」キー１８ｅが操作されなければ、再度上記ステップＢ０４からの処理に戻って、今回の自動合焦及び自動台形補正で得た結果を参照してより正確な同様の動作を繰り返す。
【００６３】
こうしてステップＢ０４〜Ｂ０７の処理を繰返し実行し、自動合焦及び自動台形補正の精度を徐々に上げていきながらその結果に対応したチャート画像を随時投影することで、ユーザは自身が所望している合焦状態及び台形補正状態となっているか否かを正確に判断できる。
【００６４】
しかして、上記ステップＢ０７で２回目の「コンティニアスＡＦＫ」キー１８ｅが操作されたと判断した時点で、連続した自動合焦及び自動台形補正の処理を中断し（ステップＢ０８）、併せて上記コンティニアスフラグをオフに設定し（ステップＢ０９）、以上でこの図５の「コンティニアスＡＦＫ」キー１８ｅ操作に対応した処理を終了し、通常の投影動作に復帰する。
【００６５】
このように、ある程度の時間をかけて自動合焦と自動台形補正の処理を連続して実行することで正確な合焦及び台形補正の状態を得てから実際の投影動作に移行したい場合、「コンティニアスＡＦＫ」キー１８ｅを操作することで容易に実現できる。
【００６６】
以上、キー／インジケータ部１８の「ワンショットＡＦＫ」キー１８ｄと「コンティニアスＡＦＫ」キー１８ｅとを必要により使い分けて操作することで、その時点でユーザが必要としている意図を反映し、より簡単且つ迅速に投影画像の自動合焦及び自動台形補正を実行して、投影環境に左右されず画像を正確に投影表示することができる。
【００６７】
加えて、予め連続した処理の実行回数を定めておくのではなく、「コンティニアスＡＦＫ」キー１８ｅの１回目の指示操作により台形補正と合焦の実行を開始してから、２回目に「コンティニアスＡＦＫ」キー１８ｅによる指示操作がなされるまでの間、台形補正と合焦を連続して実行するようになるため、ユーザが台形補正と合焦の状態を視認して納得した時点で上記２回目の指示操作を行なうことにより、確実に所望する台形補正と合焦の状態を得ることができる。
【００６８】
この場合、ユーザが判断し易いチャート画像を用いて投影することで、連続した台形補正及び合焦を実行している途中でその状態を容易に視認できるため、ユーザが適正と判断した時点で台形補正と合焦を終了させることができ、無駄に台形補正と合焦の動作を続行することなく、続く投影動作に移行できる。
【００６９】
また、上記「ワンショットＡＦＫ」キー１８ｄの操作による動作と「コンティニアスＡＦＫ」キー１８ｅの操作による動作は、互いにその一方が動作中であっても、他方のキーが操作された時点でそれまでの動作を即時中断し、新たに操作されたキーに対応した動作に移行するようにしたため、いつでもユーザのキー操作を優先した回数で台形補正及び合焦の実行を開始させることができる。
【００７０】
なお、上記実施の形態ではプロジェクタ装置１０の本体ケーシング１１に備えられたキー／インジケータ部１８内の「ワンショットＡＦＫ」キー１８ｄと「コンティニアスＡＦＫ」キー１８ｅの操作による動作として説明したが、図示しないリモートコントローラも上記キー／インジケータ部１８と同等のキーを有し、それらのキー操作によりＩｒ受信部１６，３５でそのキー操作信号を受信し、同様の動作を行なうものとしてもよい。
【００７１】
その他、本発明は上記実施の形態に限らず、その要旨を逸脱しない範囲内で種々変形して実施することが可能であるものとする。
【００７２】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【００７３】
【図１】本発明の実施の一形態に係るプロジェクタ装置の外観構成を示す斜視図。
【図２】同実施の形態に係るキー／インジケータ部の具体的な配置構成を例示する図。
【図３】同実施の形態に係るプロジェクタ装置の電子回路の機能構成を示すブロック図。
【図４】同実施の形態に係る「ワンショットＡＦＫ」キー操作に伴う処理内容を示すフローチャート。
【図５】同実施の形態に係る「コンティニアスＡＦＫ」キー操作に伴う一連の処理内容を示すフローチャート。
【符号の説明】
【００７４】
１０…プロジェクタ装置、１１…本体ケーシング、１２…投影レンズ、１３１，１３２…位相差センサ、１４…前面カバー、１５…蓄光リング、１６…Ｉｒ受信部、１７…スライドバー、１８…キー／インジケータ部、１８ｄ…「ワンショットＡＦＫ」キー、１８ｅ…「コンティニアスＡＦＫ」キー、１９…スピーカ、２１…入出力コネクタ部、２２…入出力インタフェース（Ｉ／Ｆ）、２３…画像変換部、２４…表示エンコーダ、２５…ビデオＲＡＭ、２６…表示駆動部、２７…空間的光変調素子（ＳＯＭ）、２８…光源ランプ、２９…レンズモータ（Ｍ）、３０…制御部、３１…画像記憶部、３２…音声処理部、３３…加速度センサ、３４…測距処理部、３５…Ｉｒ受信部、ＳＢ…システムバス。
【図１】
2005196042.tif 000003
【図２】
2005196042.tif 000004
【図３】
2005196042.tif 000005
【図４】
2005196042.tif 000006
【図５】
2005196042.tif 000007